(57)【要約】【課題】血液、体液、創部洗浄後の生理食塩水等の感染性廃棄物と、それを入れた熱水溶解性処理袋のより良い処理方法を可能とする。合わせて、極めて効果的な処理装置を提供する。【解決手段】溶解槽１に入れた水を前記溶解槽１の底部に備えた水中ヒータ５により９０℃以上の熱水とし、前記溶解槽１に投入した液状感染性廃棄物、それを入れるための熱水溶解性処理袋あるいは当該処理袋と同種の袋を、前記熱水と接触させる。そして、前記熱水溶解性処理袋あるいは当該処理袋と同種の袋を溶解するとともに、前記液状感染性廃棄物を煮沸し、しかる後、前記溶解槽１内に水を注入して汚水を冷却しながら水位を上げ、前記溶解槽１底部と接続されているＵ字状の配管２からサイホン現象を利用して下水へ排水する。【選択図】図１
2010158395.tif 000002
【特許請求の範囲】
【請求項１】
溶解槽に入れた水を前記溶解槽の底部に備えた水中ヒータにより９０℃以上の熱水とし、前記溶解槽に投入した液状感染性廃棄物、それを入れるための熱水溶解性処理袋あるいは当該処理袋と同種の袋を、前記熱水と接触させ、前記熱水溶解性処理袋あるいは当該処理袋と同種の袋を溶解するとともに、前記液状感染性廃棄物を煮沸し、しかる後、前記溶解槽内に水を注入して汚水を冷却しながら水位を上げ、前記溶解槽底部と接続されているＵ字状の配管からサイホン現象を利用して下水へ排水することを特徴とする、液状感染性廃棄物、それを入れるための熱水溶解性処理袋あるいは当該処理袋と同種の袋の熱水による煮沸消毒処理方法。
【請求項２】
排水後にサイホン現象が崩れ、溶解槽内の水位がスタート位置まで上昇したとき、水位センサにより水位を感知し、スプレーノズルからの水の注入を停止することを特徴とする、請求項１記載の煮沸消毒処理方法。
【請求項３】
水、液状感染性廃棄物、当該液状感染性廃棄物を入れた熱水溶解性処理袋あるいは当該処理袋と同種の袋を投入するための溶解槽を備え、前記溶解槽の底部には水中ヒータとＵ字状の配管とを設け、煮沸後の溶解槽内に水を注入するためのスプレーノズルを設けたことを特徴とする、液状感染性廃棄物、それを入れるための熱水溶解性処理袋あるいは当該処理袋と同種の袋の熱水による煮沸消毒処理装置。
【請求項４】
溶解槽内に、水温を計測するための温度センサを設けたことを特徴とする請求項３記載の煮沸消毒処理装置。
【請求項５】
溶解槽に連接して水位センサを設けたことを特徴とする請求項３または４記載の煮沸消毒処理装置。
【請求項６】
溶解槽上部にオーバーフロー配管を配置したことを特徴とする請求項３〜５のいずれかに記載の煮沸消毒処理装置。
【発明の詳細な説明】
【技術分野】
【０００１】
本発明は、血液、体液、創部洗浄後の生理食塩水等の液状感染性廃棄物、それを入れるための熱水溶解性処理袋あるいは当該処理袋と同種の袋である手術後の患者が使用する熱水溶解性の袋を、熱水により煮沸消毒して処理する方法およびその装置に関するものである。
【背景技術】
【０００２】
手術室、ＩＣＵ、検査室などで発生した血液、体液等の感染性廃棄物は、その発生場所から梱包、移動、保管、輸送、中間処理、最終処分に至るまで、厳重な管理が求められ、これらの廃棄処理に掛かる管理責任とコストは全て医療機関が負担しなければならない。
【０００３】
また、高病原性鳥インフルエンザやＳＡＲＳのパンデミック対策が様々な関係機関から提案されているが、実際に感染爆発が起きれば、結核病床を含めても感染症病床の絶対数は大幅に不足し、一般病院の病室を代用感染病室にせざるを得ない事態が発生することは明らかである。
【０００４】
この場合において、簡易的な陰圧個室はすぐに用意できても、病室や病棟に独立した感染系排水システムのない医療機関では、ウイルスが大量に含まれている患者の排泄物、嘔吐物、喀痰など感染性廃棄物の処理が大問題となる。
【０００５】
このような感染性廃棄物を処理するに当って、最も一般的な方法は、感染性廃棄物を専用処理容器に入れ、所定の場所に保管し、それを感染性廃棄物処理業者が引き取って焼却処理する方法である。
【０００６】
また、一部の大病院で既に導入されている集中処理方法として、手術室、検査室、集中治療室などから専用の配管を敷き、血液、体液、手術の廃液などを処理槽に集め、薬剤、高圧蒸気などで無害化した後、下水へ排水する方式もある。
【発明の開示】
【発明が解決しようとする課題】
【０００７】
しかしながら、このような処理方法を採った場合には、感染性廃棄物を入れた専用処理容器を病院内で移動させなければならないだけでなく、一時保管を要するという問題がある。また、感染性廃棄物を処理業者に引き取ってもらう費用もばかにならない。
【０００８】
また、上述の集中処理方式は大規模な設備投資が必要であり、多大な建設コスト、メンテナンスコストが掛かるという欠点を有している。さらに、この場合には、排出場所（手術室、検査室など）から集中処理設備までの配管内のウイルス、細菌は無害化されないという致命的欠点がある。
【０００９】
このような欠点を解消するために、ガーゼ、包帯等の医療用布製品を熱水溶解性とし、この製品を１００℃以上の熱水または消毒薬含有熱水のいずれかと接触させ、前記医療用布製品を消毒かつ溶解する方式が提案されている（例えば、特許文献１参照）。
【００１０】
【特許文献１】特開平１１−１３７６６１号公報
【００１１】
本発明は、この方式を採用するに当って、より良い処理方法を可能とし、しかも、極めて効果的な処理装置を提供することを目的とするものである。また、血液、体液、創部洗浄後の生理食塩水等の液状感染性廃棄物を入れるための熱水溶解性処理袋と同種の袋である手術後の患者が使用する熱水溶解性の袋についても、より良い処理方法と極めて効果的な処理装置とが求められている。
【課題を解決するための手段】
【００１２】
そこで、液状感染性廃棄物、当該液状感染性廃棄物を入れるための熱水溶解性処理袋あるいは当該処理袋と同種の袋をより良く処理するために、本発明では、溶解槽に入れた水を前記溶解槽の底部に備えた水中ヒータにより９０℃以上の熱水とし、前記溶解槽に投入した液状感染性廃棄物、それを入れるための熱水溶解性処理袋あるいは当該処理袋と同種の袋を、前記熱水と接触させ、前記熱水溶解性処理袋あるいは当該処理袋と同種の袋を溶解するとともに、前記液状感染性廃棄物を煮沸し、しかる後、前記溶解槽内に水を注入して汚水を冷却しながら水位を上げ、前記溶解槽底部と接続されているＵ字状の配管からサイホン現象を利用して下水へ排水する。
【００１３】
このようにすることにより、排出場所で無害化処理を行うことができるので、感染性廃棄物を入れた専用処理容器の病院内での移動、一時保管が不要で、大幅なコストダウンが可能になる。また、従来の集中処理方式に比べて、大規模な設備投資が不要となる。さらに、排出場所から集中処理設備までの配管内のウイルス、細菌は無害化されないという致命的欠点を解消することができる。そして、処理後の汚水を下水へそのまま流すことができるという大きな利点がある。
【００１４】
排水後にサイホン現象が崩れ、溶解槽内の水位がスタート位置まで上昇したとき、水位センサにより水位を感知し、スプレーノズルからの水の注入を停止するようにすることが好ましい。
このようにした場合には、溶解槽内の水を処理開始時の好ましい水量に絶えず保っておくことができるという利点がある。
【００１５】
また、本発明の煮沸消毒処理装置にあっては、水、液状感染性廃棄物、当該液状感染性廃棄物を入れた熱水溶解性処理袋あるいは当該処理袋と同種の袋を投入するための溶解槽を備え、前記溶解槽の底部には水中ヒータとＵ字状の配管とを設け、煮沸後の溶解槽内に水を注入するためのスプレーノズルを設けたことを特徴とするものである。
【００１６】
溶解槽内に入れた水は前記溶解槽の底部に備えられている水中ヒータにより９０℃以上の熱水になり、前記熱水により前記溶解槽に投入した熱水溶解性処理袋あるいは当該処理袋と同種の袋が溶解されるとともに、前記溶解槽に投入した液状感染性廃棄物を煮沸することができる。そして、この処理が終わると、スプレーノズルにより煮沸後の溶解槽内に水が注入され、汚水を冷却しながら水位を上昇させることができ、溶解槽底部と接続されたＵ字状の配管からサイホン現象を利用して排水することができる。
【００１７】
したがって、この装置を用いた場合には、液状感染性廃棄物、当該液状感染性廃棄物を入れた熱水溶解性処理袋あるいは当該処理袋と同種の袋を排出場所で処理することが可能である。また、装置内で無害化するので、専用の配管は不要であり、コンパクトな形状なので、病院だけでなく、ビル内のクリニックなどにも設置可能である。さらに、ランニングコストは、電気代と水代だけである。
【００１８】
溶解槽内に、水温を計測するための温度センサを設けておくとよい。溶解槽内に温度センサが設けられていると、水中ヒータで加熱された熱水の温度を計測し、煮沸状態を維持することができる。
【００１９】
溶解槽に連接して水位センサを設けておくのが望ましい。このような水位センサが設けられていると、排水後にサイホン現象が崩れ、溶解槽内の水位がスタート位置まで上昇したとき、前記水位センサにより水位を感知することができ、スプレーノズルからの水の注入を停止することができる。
したがって、溶解槽内の水を処理開始時の好ましい水量に絶えず保っておくことができ、排水後直ちに次の処理を実施できるのみならず、水の無駄使いも無くなる。
【００２０】
溶解槽上部にオーバーフロー配管を配置しておくのが望ましい。溶解槽上部にオーバーフロー配管が配置されていると、溶解槽内の水温の上昇に伴う蒸気圧の上昇を防止することができる。
【発明の効果】
【００２１】
請求項１記載の発明によれば、排出場所で無害化処理を行うことができるので、感染性廃棄物を入れた専用処理容器の病院内での移動、一時保管が不要で、大幅なコストダウンが可能になる。また、従来の集中処理方式に比べて、大規模な設備投資が不要となる。さらに、排出場所から集中処理設備までの配管内のウイルス、細菌は無害化されないという致命的欠点を解消することができる。そして、処理後の汚水を下水へそのまま流すことができるという大きな利点がある。
【００２２】
請求項２記載の発明によれば、溶解槽内の水を処理開始時の好ましい水量に絶えず保っておくことができるという利点がある。
【００２３】
請求項３記載の煮沸消毒処理装置を用いた場合には、液状感染性廃棄物、当該液状感染性廃棄物を入れた熱水溶解性処理袋あるいは当該処理袋と同種の袋を排出場所で処理することが可能である。また、装置内で無害化するので、専用の配管は不要であり、コンパクトな形状なので、病院だけでなく、ビル内のクリニックなどにも設置可能である。さらに、ランニングコストは、電気代と水代だけである。
【００２４】
請求項４記載の発明によれば、水中ヒータで加熱された熱水の温度を温度センサで計測し、煮沸状態を維持することができるという利点がある。
【００２５】
請求項５記載の発明によれば、溶解槽内の水を処理開始時の好ましい水量に絶えず保っておくことができ、排水後直ちに次の処理を実施できるのみならず、水の無駄使いも無くなるという利点がある。
【００２６】
請求項６記載の発明によれば、溶解槽内の水温の上昇に伴う蒸気圧の上昇を防止することができるという利点がある。
【発明を実施するための最良の形態】
【００２７】
本発明による液状感染性廃棄物、当該液状感染性廃棄物を入れるための熱水溶解性処理袋あるいは当該処理袋と同種の袋の熱水による煮沸消毒処理方法およびその装置の一例を、装置を示す図面に基いて説明する。
【００２８】
本発明にいう液状感染性廃棄物とは、手術室、ＩＣＵ、検査室などで発生した血液、体液、創部洗浄後の生理食塩水その他のものをいう。そして、この液状感染性廃棄物は通常熱水溶解性処理袋に入れられるから、前記液状感染性廃棄物のみならず、それを入れた後の袋も合わせて処理することが要求される。また、病院などでは、当該処理袋と同種の袋である手術後の患者が使用する熱水溶解性の袋が様々な形で使用されており、それについても同様の処理が要求される。
【００２９】
これらを処理するに当って、本発明では、前記被処理物を熱水により煮沸消毒する方式を採る。この場合において、前記液状感染性廃棄物を入れた熱水溶解性処理袋あるいは当該処理袋と同種の袋である手術後の患者が使用する熱水溶解性の袋を溶解槽１に投入するだけで、前記液状感染性廃棄物およびそれを入れた熱水溶解性処理袋あるいは当該処理袋と同種の袋である手術後の患者が使用する熱水溶解性の袋が、前記溶解槽１の底部に備えられている水中ヒータ２により前記溶解槽内で９０℃以上に熱せられた熱水に、接触させられる。すると、前記被処理物のうち前記液状感染性廃棄物を入れた熱水溶解性処理袋あるいは当該処理袋と同種の袋である手術後の患者が使用する熱水溶解性の袋が溶解せしめられるとともに、前記液状感染性廃棄物が煮沸せしめられる。しかる後、前記溶解槽１内に水を注入して汚水を冷却しながら水位を上げると、前記溶解槽１底部と接続されているＵ字状の配管２からサイホン現象を利用して下水へ排水することができる。
【００３０】
このように、前記液状感染性廃棄物、当該液状感染性廃棄物を入れた熱水溶解性処理袋あるいは当該処理袋と同種の袋である手術後の患者が使用する熱水溶解性の袋の煮沸を行うことができ、汚水を冷却し、下水へ排出することができるので、医療機関の施設内処理が可能となる。そして、排出場所で無害化処理を行うことができるので、感染性廃棄物を入れた専用処理容器の病院内での移動、一時保管が不要で、大幅なコストダウンが可能になる。また、従来の集中処理方式に比べて、大規模な設備投資が不要となる。さらに、排出場所から集中処理設備までの配管内のウイルス、細菌は無害化されないという致命的欠点を解消することができる。そして、処理後の汚水を下水へそのまま流すことができる。
【００３１】
例えば、煮沸１５分以上で前記液状感染性廃棄物、当該液状感染性廃棄物を入れた熱水溶解性処理袋あるいは当該処理袋と同種の袋である手術後の患者が使用する熱水溶解性の袋を高水準消毒し、無害化して下水へ排水することができる。特に、肝炎ウイルスに有効な加熱による方法により、廃棄物処理法に基づく感染性廃棄処理マニュアルに則った消毒が可能となる。したがって、液状感染性廃棄物の医療機関の施設内処理が可能となり、その処理コストを大幅に削減できる。また、消毒薬などの薬剤を使用しない処理方法であるから、環境への負担を最小限化できる。さらに、看護スタッフの時間と労力も大幅に節減できる。
【００３２】
また、本煮沸処理消毒処理方法によれば、特別な感染系配管システムを必要としないため、大規模病院からテナントビルの診療所、歯科医院、ペットクリニックなど様々な医療施設で使用することができる。
【００３３】
本煮沸処理消毒処理方法においては、排水後にサイホン現象が崩れ、溶解槽１内の水位がスタート位置まで上昇したとき、水位センサ３により水位を感知し、スプレーノズル４からの水の注入を停止することができる。
したがって、排水後に直ちに次の処理を実施できるのみならず、水の無駄使いも無くなる。
【００３４】
一方、本煮沸消毒処理装置には、水、液状感染性廃棄物、当該液状感染性廃棄物を入れた熱水溶解性処理袋あるいは当該処理袋と同種の袋である手術後の患者が使用する熱水溶解性の袋を投入するための溶解槽１が備えられ、前記溶解槽１の底部には水中ヒータ５とＵ字状の配管２とが設けられ、煮沸後の溶解槽１内に水を注入するためのスプレーノズル４が設けられている。
この煮沸消毒処理装置を用いれば、血液、体液、手術廃液などの液状感染性廃棄物を収容した熱水溶解性処理袋あるいは当該処理袋と同種の袋である手術後の患者が使用する熱水溶解性の袋を前記溶解槽１に投入し、スイッチ６を押すだけの簡単操作で、液状感染性廃棄物、当該液状感染性廃棄物を入れた熱水溶解性処理袋あるいは当該処理袋と同種の袋である手術後の患者が使用する熱水溶解性の袋を、熱水により自動的に煮沸消毒処理することができる。特に、血液、体液、手術廃液などの液状感染性廃棄物と接触する可能性は限りなくゼロに近いから、安心して無害化が可能になる。
【００３５】
そして、例えば、煮沸１５分以上で前記液状感染性廃棄物、当該液状感染性廃棄物を入れた熱水溶解性処理袋あるいは当該処理袋と同種の袋である手術後の患者が使用する熱水溶解性の袋を高水準消毒して無害化し、その処理が終了すると、溶解槽１上部のスプレーノズル４から水が注入され、汚水を冷却しながら水位を上げ、溶解槽１底部と接続されたＵ字状の配管２からサイホン現象を利用して、図１(a)および図２の矢印方向から下水へ排水することができる。
【００３６】
また、本煮沸消毒処理装置の溶解槽１内には、水温を計測するための温度センサ７が設けられている。
この温度センサ７により溶解槽１内の水温を計測することができるので、煮沸状態を維持することができる。
【００３７】
また、本煮沸消毒処理装置にあっては、前記溶解槽１に連接して水位センサ３が設けられている。
この水位センサ３が溶解槽１に連接して設けられているため、排水後にサイホン現象が崩れ、溶解槽１内の水位がスタート位置まで上昇したとき、水位センサ３により水位を感知し、スプレーノズル４からの水の注入を停止することができる。したがって、溶解槽１内の水を処理開始時の好ましい水量に絶えず保っておくことができ、排水後直ちに次の処理を実施できるのみならず、水の無駄使いも無くなる。
なお、本煮沸処理消毒処理装置の水位センサ３は、図１(a)に示すように、パイプ３ａ内に電極棒３ｂを配置した形式のものである。
【００３８】
さらに、本煮沸消毒処理装置にあっては、前記溶解槽１の上部にオーバーフロー配管８が配置されている。
このオーバーフロー配管８が溶解槽１の上部に配置されているため、溶解槽１内の水温上昇に伴う蒸気圧の上昇を防ぐことができる。なお、オーバーフロー配管８は、例えば、ステンレス製のフレキシブルホースとすることができる。
【００３９】
なお、本煮沸消毒処理装置を用いれば、上述した煮沸消毒処理方法による利点と同様の利点を有しており、比較的コンパクトな設計で前記液状感染性廃棄物の発生場所での処理が可能である。排出場所での処理が可能であり、特に、本煮沸消毒処理装置内で無害化するので、専用の配管は不要であるだけでなく、コンパクトな形状なので病院だけでなく、ビル内のクリニックなどにも設置可能であり、ランニングコストは電気代と水代だけである。
【００４０】
図１(a)は本煮沸消毒処理装置の一例を示す一部切欠の正面図、図１(b)はその側面図、図１(c)はその平面図である。図１において、符号９は本煮沸消毒処理装置の溶解槽１の上方に配置した蓋で、この蓋９は密閉用ハンドル１０によりフレームＡの上方で閉じることができ、逆に、プルハンドル１１を引くことにより図２に示すように蓋９を開くことができる。この蓋９を開くことにより、フレームＡ内の溶解槽１に前記液状感染性廃棄物を入れた熱水溶解性処理袋あるいは当該処理袋と同種の袋である手術後の患者が使用する熱水溶解性の袋を投入することができる。なお、蓋９は蝶番９ａによりフレームＡ側に連結されている。
【００４１】
また、図１において、符号１２はフレームＡ内に配置した電磁バルブで、この電磁バルブ１２を稼動させることによりフレームＡ内の溶解槽１に水を入れることができる。図１(a)、図１(c)に現われている符号６は、上述した電源用のスイッチで、このスイッチ６を押すだけの簡単操作で本煮沸消毒処理装置を稼動させることができる。このスイッチ６はフレームＡの上面に配置されている操作パネル１３に設けられ、さらに、この操作パネル１３には準備用、運転用、沸騰用および掃除用の各操作ボタン１４、１５、１６、１７が配置されている。
一方、図１(a)において、符号１８はフレームＡ内に設けた制御盤で、この中にタイマが備えられており、このタイマにより本煮沸消毒処理装置の煮沸時間を設定することができる。
【００４２】
本煮沸消毒処理装置で処理可能な熱水溶解性処理袋あるいは当該処理袋と同種の袋である手術後の患者が使用する熱水溶解性の袋は、常温では溶解せず、例えば、９０℃以上の熱水で完全溶解するものとすることができ、通常、ポリビニルアルコールを主成分とするフィルムから構成することができる。これらの袋は本煮沸消毒処理装置で完全溶解された後再び冷却されても、再凝固しない性質のものとすることができる。また、溶解したこれらの袋の成分は水中のバクテリアにより水と二酸化炭素に生分解されるものとすることができ、この場合には環境に負担を与えることはない。なお、これらの袋は使用用途に応じてその大きさを自由に変えることができる。
【図面の簡単な説明】
【００４３】
【図１】本発明による液状感染性廃棄物、当該液状感染性廃棄物を入れるための熱水溶解性処理袋あるいは当該処理袋と同種の袋の熱水による煮沸消毒処理装置の一例を示すもので、(a)は一部切欠の正面図、(b)はその側面図、(c)はその平面図である。
【図２】図１に示す煮沸消毒処理装置の蓋を開けた状態を示す一部切欠の正面図である。
【符号の説明】
【００４４】
１…溶解槽、２…Ｕ字状の配管、３…水位センサ、４…スプレーノズル、５…水中ヒータ、６…スイッチ、７…温度センサ、８…オーバーフロー配管、９…蓋、Ａ…フレーム。
【図１】
2010158395.tif 000003
【図２】
2010158395.tif 000004